(57)【要約】      （修正有）【課題】厚さの薄い書籍、資料等を収納した容器状の本棚台において、本棚に対する位置決めがされると共に本棚台に収納される書籍、資料等の分類を示す見出しの位置が一定する本棚台を提供する。【解決手段】容器本体２の底板２ａの下面に前後方向にガイド部２ｄを設け、ガイド部２ｄに引き出し式可動台板３を前後方向に移動自在に嵌合してある。台板３にはストッパ３ｂが垂下しており、ストッパ３ｂの背面は粘着テープ又は接着テープで棚板の端面４ｂに固定してある。これによって棚板４上に並列する各容器本体２の位置は定まる。容器本体２を引き抜いても隣りの容器本体２が寄って来たり、倒れて来たりしない。また容器本体２は元の位置に正しく戻せる。【選択図】図１
0003146585.tif 000002
【実用新案登録請求の範囲】
【請求項１】
上面が一様な平面であって載置個所の上面に載置される底板と、底板の両側に夫々立設した側板と、底板及び側板に夫々直角な背板によって構成され、これら各板に囲まれた内部に書類を立設して収納可能とした本棚台において、
底板の背板側とは反対側の前部の下面側に引き出し式可動台板が前後方向に移動自在に係合すると共に底板板面に交叉する方向に前記引き出し式可動台板を着脱できるガイド部を有する容器本体と、
容器本体のガイド部に移動自在に係合する前記底板に平行な平行板部と、平行板部の前端部から垂下する見出し付ストッパと、を有する引き出し式可動台板と、
を有することを特徴とする本棚台。
【請求項２】
容器本体のガイド部は下面が平面の底板の下面に凹部を設けることによって左右の両縁に沿って設けられた突条であり、引き出し式可動台板の一様な平板である平行板部の左右の両側の端縁が前記突条に摺動可能に係合し、平行板部下面と底板の下面が同一の平面となることを特徴とする請求項１に記載の本棚台。
【請求項３】
底板の前端部上面は容器本体に収納される書類の分類を示す見出し部となっていることを特徴とする請求項１又は２に記載の本棚台。
【請求項４】
背板の上端部背面には底板に設けたと同様のガイド部を有すると共に上端部前面には底板に設けた見出し部と同様の見出し部を有し、背板側を底板として用いる際に前記引き出し式可動台板は背板のガイド部に係合可能であることを特徴とする請求項１から３の何れか１つに記載の本棚台。
【請求項５】
設置面に容器本体が位置を調節可能に固定されるように容器本体を設置面に対して取外し可能に容器本体と設置面間に粘着剤又は接着剤を設けたことを特徴とする請求項１から４の何れか１つに記載の本棚台。
【請求項６】
見出し付きストッパの背面には本棚台の載置個所の端面に固定可能な粘着剤又は接着剤が施されていることを特徴とする請求項１から５の何れか１つに記載の本棚台。
【請求項７】
底板又は背板に設けた見出し部と、引き出し式可動台板に設けた見出し部とは容器本体に収納される書類の分類を表わす表示がされていることを特徴とする請求項３から６の何れか１つに記載の本棚台。
【請求項８】
平行板部上にストッパに設けた見出し部と同義を表わす見出し部を設けたことを特徴とする請求項１から７の何れか１つに記載の本棚台。
【考案の詳細な説明】
【技術分野】
【０００１】
この考案は書類を収納し、書棚等に載置する本棚台に関する。
【背景技術】
【０００２】
複数枚の書面を綴じた厚さの薄い書類、各種ファイルを書棚等に立設して整理するために本棚台が用いられている。ここでいう本棚台は載置個所の上面に載置される底板と、底板の両側に夫々立設した側板と、底板及び側板に夫々直角な背板によって構成されている。そして、底板と背板の長さを異にしている。使用する場合、背板を底板に、底板を背板となる様に用い方を交替させる用法が採用されている。
【０００３】
このような本棚台の内容の書類の分類を知るために見出しが設けてある。本棚台と別部材で書棚に見出しを設けると紛失し易い。そこで、特許文献１では収納容器本体の底板の前端部に見出し部材を装着可能な装着部を設けると共に底板の後端側に見出し部材を収納可能な見出し部材収納部を有するボックスファイル（商品名）を提案している。特許文献２では底板の前端にヒンジで起立可能な見出し片を備えたボックスファイルを提案している。
【特許文献１】特開２００１−２７７７６５号公報
【特許文献２】特開平９−３００８７５号公報
【考案の開示】
【考案が解決しようとする課題】
【０００４】
特許文献1のものは見出し部材の見出し面を設ける部材は起立片となっている。そして、見出し部材は底板の手前側上面の装着部に装着されている。そのため、書類の収納、取り出しに際し、起立片に書類が引っ掛からないようにしなければならない。特に、書類を引き出す際は書類の手前側を持ち上げてから引き出さねばならない（見出し片部が立上っていると書類の収納時に邪魔になることは特許文献２段落〔００１９〕にのべられている）。
【０００５】
特許文献１に記載の見出し片は取り外して使用することにもなっている。処が見出し片を取り外すと底板の装着部は底板から段落しているので、特に、書類を挿入する際の障害となる。見出し片を装着した状態でも装着部は段落しているので書類を本棚台に入れる際は書類が段部に引っ掛かるおそれがある。
【０００６】
特許文献２においても見出し部材の見出し片部は底板前部にヒンジを介して形成されている。そして、見出し片部が書類の収納時に邪魔になるときは、底板とつらなる位置に倒伏させればよいとされている。
【０００７】
特許文献１，２には上述のように見出し片が起立している状態で見出し片として機能するようにしてあるため、書類の収納時に邪魔になるとされている。書類の取り出し時においては尚更、見出し片は邪魔になるといえる。
【０００８】
この考案は見出し部材が書類の出し入れに対して邪魔にならない見出し付の引き出し式可動台板を有する本棚台を提供する。
【０００９】
書類棚に複数の本棚台を隣接させて多数並列させる使い方は通常である。書類の大きさが一定であれば問題はないが、書類の大小で一般に書類の幅は異なる。幅が一定して大きい書類は一つの本棚台に収納し、幅が一定して小さい書類は他の本棚台に収納するというように、書類の幅に応じて本棚台を異にする使われ方もある。このような場合、本棚台は背板を書棚の奥に突き当てることになる。すると、書類は通常、本棚台の背板に当るまで押し込んでいるから、書類の幅の大小によって書類の背の位置が違ってくる。また書類の背の位置を揃えるように本棚台を前後に調節すると、特許文献１，２のような場合は見出し片の位置も前後方向に異なる位置となる。
【００１０】
この考案は夫々一定の幅の書類を収納した複数の本棚台に収納した書類の背が前後方向でほぼ一定位置に配列可能、且つ見出し面が前後方向で常に一定となる本棚台を提供することを目的とする。
【課題を解決するための手段】
【００１１】
この考案の請求項１に係る考案は上面が一様な平面であって載置個所の上面に載置される底板と、底板の両側に夫々立設した側板と、底板及び側板に夫々直角な背板によって構成され、これら各板に囲まれた内部に書類を立設して収納可能とした本棚台において、
底板の背板側とは反対側の前部の下面側に引き出し式可動台板が前後方向に移動自在に係合すると共に底板板面に交叉する方向に前記引き出し式可動台板を着脱できるガイド部を有する容器本体と、
容器本体のガイド部に移動自在に係合する前記底板に平行な平行板部と、平行板部の前端部から垂下する見出し付ストッパと、を有する引き出し式可動台板と、
を有することを特徴とする本棚台である。
【００１２】
この考案の請求項２に係る考案は容器本体のガイド部は下面が平面の底板の下面に凹部を設けることによって左右両縁に沿って設けらた突条であり、引き出し式可動台板の一様な平板である平行板部の左右の両側の端縁が前記突条に摺動可能に係合し、平行板部下面と底板の下面が同一の平面となることを特徴とする第１の考案に記載の本棚台である。
【００１３】
この考案の請求項３に係る考案は底板の前端部上面は容器本体に収納される書類の分類を示す見出し部となっていることを特徴とする第１又は第２の考案に記載の本棚台である。
【００１４】
この考案の請求項4に係る考案は背板の上端部背面には底板に設けたと同様のガイド部を有すると共に上端部前面には底板に設けた見出し部と同様の見出し部を有し、背板側を底板として用いる際に前記引き出し式可動台板は背板のガイド部に係合可能であることを特徴とする請求項１から３の何れか１つに記載の本棚台ことを特徴とする第１から第３の考案の何れか１つに記載の本棚台である。
この考案の請求項５に係る考案は設置面に容器本体が位置を調節可能に固定されるように容器本体を設置面に対して取外し可能に容器本体と設置面間に粘着剤又は接着剤を設けたことを特徴とする第１から第４の考案の何れか１つに記載の本棚台である。
【００１５】
この考案の請求項６に係る考案は見出し付きストッパの背面には本棚台の載置個所の端面に固定可能な粘着剤又は接着剤が施されていることを特徴とする第１から第5の考案の何れか１つに記載の本棚台である。
【００１６】
この考案の請求項７に係る考案は底板又は背板に設けた見出し部と、引き出し式可動台板に設けた見出し部とは容器本体に収納される書類の分類を表わす表示がされていることを特徴とする第３から第６の考案の何れか１つに記載の本棚台である。
【００１７】
この考案の請求項８に係る考案は平行板部上にストッパに設けた見出し部と同義を表わす見出し部を設けたことを特徴とする第１から第７の考案の何れか１つに記載の本棚台である。
【考案の効果】
【００１８】
請求項１に係る考案によれば、ストッパを載置箇所である書棚の棚板の前縁に引っ掛けて、容器本体を書棚内に押し込める。そのため、見出しの位置が前後方向で一定となる。底板は上面が一平面であると共にストッパが底板よりも低い位置の平行板部から垂下しているので、従来例のように見出し部材が書類の出し入れの邪魔になるということがなく円滑に出し入れできる。ガイド部を底板の下面側に設けたため、底板の上面は一様な平面であり、書類の出し入れを阻害することがない。
【００１９】
請求項２に係る考案によれば、載置箇所の上面を平行板部のガイドとできる。平行板部は幅が大きく、書類を取り出すときに書類が平行板部に引っ掛かることがなく円滑に取り出せる。
【００２０】
請求項３に係る考案によれば、底板の見出し面に引き出し式可動台板の見出しと符合するように共通の表示をすることが出来るから、引き出し式可動台板を容器本体から外した場合も、複数の本棚台における容器本体と引き出し式可動台板が異なるという混同を避けることが出来る。
【００２１】
請求項４に係る考案によれば、底板と背板を交替して載置箇所である棚板上に置く場合においても上記各効果に付同効を得る。
【００２２】
請求項５に係る考案によれば、幅の異なる夫々が一定幅の複数の書類を収納した本棚台の前後位置を調節可能に書棚に取外し可能に固定できるので本棚台に収納した書類の背の前後の位置を一定にすることができる。且つ、見出し位置が一定である。
【００２３】
請求項６に係る考案によれば、容器本体位置を変えたり容器本体を交換する場合に引き出し式可動台板を常に一定位置に保持してあるので容器本体位置の変更、容器本体の交換の際に容器本体の左右方向に関し再度の位置決めの必要がなく、隣接する容器本体がなくても容器本体は左右方向に一定位置に復元される。
【００２４】
請求項７に係る考案によれば、底板又は背板の何れを載置個所の上面に載置しても同効を生ずる。そして、引き出し式可動台板と容器本体が分離されても、何れの組かが容易に分る。
【００２５】
請求項８に係る考案によれば、本棚の下部の棚板を載置個所とした本棚台のストッパに設けた見出し部が見にくいということがあっても平行板部上に設けた見出し部を容易に見ることが出来る。
【実施例】
【００２６】
以下、この考案の実施例を図面を用いて説明する。この明細書において前後とは書棚に向って前後のことをいう。
【００２７】
図は何れもこの考案の実施例を示し、図１は斜視図、図２は一部断面で示す側面図、図３は正面図、図４は背面図、図５は引き出し式可動台板の使用状態を示す側面図、図６は容器本体の側面図、図７は図６の正面図である。
【００２８】
ここで、図において板厚を示すために板部は実際の板厚よりも誇張して厚く示してある。
【００２９】
全体を符号１で示す本棚台は容器本体２と、引き出し式可動台板３を有する。
【００３０】
容器本体２は載置個所例えば棚板４上に載置される前後方向に長い矩形の底板２ａと、底板２ａの長辺となる両側に夫々立設した側板２ｂ，２ｂと、底板２ａ及び側板２ｂ，２ｂに直角な背板２ｃによって構成され、合成樹脂一体又は一体成形品である。
【００３１】
図１に示すように側板２ｂは直角三角形の直角でない角が夫々そがれた形状である。即ち、斜辺２ｂ１の上端側は底板２ａに平行な端面２ｂ２となっており、手前側は背板２ｃに平行な端面２ｂ３となっている。背板２ｃは上下方向に長い矩形である。側板２ｂの直角な角を挟む辺は一つが底板２ａの長辺につらなり、他の一つが背板２ｃの長辺とつらなる。
【００３２】
底板２ａの上面手前には固定ネーム板１２を設けるための凹部２ａ１が設けてある。この凹部２ａ１は左右方向に長い矩形であって、深さは固定ネーム板１２の厚さとほぼ等しい。凹部２ａ１を囲んで色付額縁線２ａ２が描かれている。
【００３３】
上記凹部２ａ１、色付額縁線２ａ２は背板２ｃの前面上端部にも凹部２ｃ１、色付額縁線２ｃ２として画かれている。そして、凹部２ｃ１には固定ネーム板１３が嵌め込まれている。固定ネーム板１２，１３が容器本体２の見出しであり、容器本体２を識別できる。
【００３４】
固定ネーム板１２，１３の表示は後述の可動ネーム板５，６に設ける表示と同様である。即ち、可動ネーム板５，６に設ける表示と固定ネーム板１２又は１３に設ける表示は具体的には異なる文言、記号であっても、容器本体２に収納される同一の分類に属する書類を示すものであればよい。
【００３５】
ここで容器本体２の材質としては、例えば塩化ビニール、ポリエチレンテレフタレート、ＡＢＳ樹脂等が用いられる。製作方法としては夫々樹脂成形した夫々が平板の底板１ａ、側板２ｂ、背板２ｃを夫々容器本体２の形状の型内に収容し、衝合した縁部を樹脂結合する。
【００３６】
底板２ａの背板２ｃとは反対側の前部の下面側の左右の縁に引き出し式可動台板３が前後方向に移動自在に係合するガイド部２ｄが設けてある（図８参照）。このガイド部２ｄと同様のガイド部２ｅが背板２ｃ背面に上下方向に設けてある。
【００３７】
図１に示すように容器本体２は底板２ａを棚板４上に置く場合と、図示されないが背板２ｃを棚板４上に置く場合がある。
【００３８】
本例のガイド部２ｄ，２ｅは断面角形の突条２ｇの側面である。突条２ｇの外側面と側板２ｂの外側面は同一面である。
【００３９】
図８は容器本体２を上下逆にした状態で斜め上から底板２ａ側を見る斜視図である。図１に示すように底板２ａは上面のほぼ全体が一様な平面となっている。底板２ａの下面（図８では上に見える）は全体としての一平面に対して手前側は凹部となった収納部２ｆである。収納部２ｆには引き出し式可動台板３の方形の平板状の平行板部３ａが収納可能となっている。平行板部３ａの幅ｗ１はガイド２ｄの対向幅ｗ２よりもわずかに小さく、平行板部３ａの左右の側縁はガイド部２ｄと前後方向に摺動可能となっている。ガイド部２ｄを構成する突条２ｇは断面角形であり底板２ａに一体成形されている。突条２ｇの高さｈは平行板部３ａの厚さｔよりもわずかに大きい。突条２ｇの外側面は側板２ｂの外側面と同一面となっている。
【００４０】
収納部２ｆの奥行は平行板部３ａが全部収納部２ｆに収納された状態で平行板部３ａの先端面３ａ１が収納部２ｆの奥壁２ｆ１に接触するか、又は先端面３ａ１と奥壁２ｆ１との間に隙間を有する位置にある。突条２ｇの端面２ｇ１と底板２ａの前端面２ａ３とは図８に示すように前後方向に長さＬだけ離れている。この長さＬは引き出し式可動台板３の見出し付ストッパ３ｂの厚さｔ１とほぼ等しい。ここで、引き出し式可動台板３は容器本体２に対して位置を可変として一定の位置（本棚４の端面４ｂにストッパ３ｂが接する位置、図１参照）で用いられるものである。
【００４１】
ここで、引き出し式可動台板３は容器本体２のガイド部２ｄに移動自在に係合する平行板部３ａと見出し付ストッパ３ｂとを有する合成樹脂一体成形品である。見出し付ストッパ３ｂの幅ｗ３は容器本体２の幅Ｗと等しく作られている。従って、平行板部の幅ｗ１よりも見出し付ストッパ３ｂの幅ｗ３が大であり、見出し付ストッパ３ｂは平行板部３ａよりも左右に突出している。この突出幅は左右で等しく突条２ｇの幅と等しくなっている。
【００４２】
見出し付ストッパ３ｂは正面より見て左右に長い矩形である。この表面は見出しが設けられる表示面である。見出し付ストッパ３ｂの正面を示す図３に示すように四面額縁３ｂ１を正面の周縁に設けてある。正面が着色された四面額縁３ｂ１で囲まれた範囲は浅い凹部３ｂ２となっている。この凹部３ｂ２の深さはここに嵌め込む見出し部材である可動ネーム板５の厚さと等しいか、わずかに深いものとなっている。可動ネーム板５にはこの本棚台１に収納される書類の分類が表示される。可動ネーム板５は裏面に接着剤を塗布されたもので凹部３ｂ２の底に貼り付けられている。
【００４３】
表示面を設ける他の方法としては、見出し付ストッパ３ｂの前面を一平面として、この前面と等しい大きさ、形状のネーム板を貼り付けてもよい。このネーム板には色線による四面額縁３ｂ１が設けられる。
【００４４】
図１に示すように引き出し式可動台板３の平行板部３ａの手前側上面には左右に長い矩形の凹部３ａ２が設けられ、見出しとして凹部３ａ２に丁度嵌合する可動ネーム板６が嵌め込まれている。可動ネーム板５，６は例えば裏面に糊付けされた紙片又は裏面に粘着剤の施された合成樹脂フィルムであり、可動ネーム板５，６表面には同様な表示がなされる。
【００４５】
凹部３ａ２は可動ネーム板６の紙厚分と同一又はわずかに大きく平行板部３ａの上面から掘り込まれている。
【００４６】
従って、書類又はその書類を綴ったファイルの下縁が平行板部３ａ上を滑って進退するときに、書類又はファイルの下角が凹部３ａ２の縁又は可動ネーム板６の縁部分に当るということがなく円滑に本棚台１に出し入れできる。
【００４７】
引き出し式可動台板３は合成樹脂で一体成形される。例えば耐衝撃性ポリスチレン（ＨＩＰＳ）で作られている。
【００４８】
図５に示すように、引き出し式可動台板３の見出し付ストッパ３ｂの裏面には固定用テープ７が貼り付けられている。固定用テープ７は例えば粘着テープであって不織布の両面に形成した粘着剤層の夫々の表面を剥離紙で蔽ってなるものであり、一方の剥離紙を剥して見出し付ストッパ３ｂの裏面に貼り付ける。固定用テープ７は接着テープであってもよい。
【００４９】
図６に示すように容器本体２の底板２ａの下面及び背板２ｃの背面には固定用テープ８が貼り付けられる。固定用テープ８は両面粘着テープであって、固定用テープ７と同様のものが用いられる。固定用テープ８は厚さの薄いものが望ましい。固定用テープ８は接着テープとすることもできる。
【００５０】
引き出し式可動台板３の上面３の縁には前後方向に色線３ａ３が設けられている。
【００５１】
容器本体２、引き出し式可動台板３に貼り付けられた固定用テープ７，８は剥離紙をはがすことなく、可動ネーム板付本棚台１を本棚の棚板４上に持ち込んで、本棚に対する位置決めされる。
【００５２】
図１では本棚の背板９に容器本体の背板２ｃを押し付けると共に見出し付ストッパ３ｂの背面が棚板４の端面４ｂに接している。
【００５３】
上述した可動ネーム板付本棚台１の使用例を説明する。
【００５４】
図９から図１４までは使用例を示す側面図である。
【００５５】
図９に示すように引き出し式可動台板３は容器本体２の収納部２ｆに収納されている。この状態では側板２ｂの端面２ｂ３と引き出し式可動台板３の可動ネーム板５の面とは一致している。なお、容器本体２と引き出し式可動台板３を図９に示すように一体的に保持するには、剥がし易い粘着テープで両者を結合する。
【００５６】
図１０に示すように図９の状態で棚板４の上面４ａに容器本体２の底板２ａを接して載置する。このとき、底板２ａの下面に貼り付けた固定用テープ８の外面の粘着剤又は接着剤には剥離材のフィルムが貼り付けたままである。そして、見出し付ストッパ３の背面を棚板４の端面４ｂに当てる。このとき、見出し付ストッパ３の背面に貼り付けられた固定用テープ７の外面の粘着剤又は接着剤には剥離材のフィルムが貼り付けたままである。
【００５７】
上記において、容器本体２の収納部２ｆに収納された引き出し式可動台板３は該収納部２ｆとなっている凹部の天井と棚板４の上面４ａにより、平行板部３ａの上下方向の動きは規制される。これによって、ガイド部２ｄと併せて容器本体２に対して前後方向に直線状にのみ引き出し式可動台板３は相対移動可能となる。
【００５８】
図１１に示すように容器本体２と引き出し式可動台板３の結合を解いて、容器本体２を図示矢印のように本棚の奥側に押すと、引き出し式可動台板３は見出し付ストッパ３ｂが棚板４の端面で前進を制止されているので容器本体２のみが棚板４の上面４ａ、平行板部３ａと摺動して棚板４の奥側へ一直線に進む。
【００５９】
図１２に示すように通常は容器本体２の背板２ｃを書棚の背板９に当てる（矢印イ）。書棚に対して可動ネーム板付本棚台１の左右方向の位置は自由であるから、左右方向の位置を設定する。書棚は棚板４の左右方向を図１のように仕切り板１１によって仕切っている。又、書棚の左右の両側板３ｂは仕切り板１１と平行である。仕切り板１１に側板３ｂを接した状態から本棚台１の設置を始める。
【００６０】
隣接する仕切り板１１間に複数の可動ネーム板付本棚台１を密接して配列する。
【００６１】
図１に示すように書棚の背板９に容器本体２の背板２ｃを接すると共に右側の側板２ｂを仕切り板１１に接した状態で位置を確認した後は、容器本体２から引き出し式可動台板３を引き出して容器本体２単体とする。ここで容器本体２を棚板４及び引き出し式可動台板３から上方に向って離して容器本体２の底板２ａと背板２ｃの角にわたって貼り付けてある固定用テープ８の粘着剤を蔽っているフィルムを剥がす。  
【００６２】
図１３に示すように容器本体２の背板２ｃを書棚の背板９に押し付けると共に容器本体２の底板２ａを棚板４に押し付けると容器本体２は固定用テープ８を介して書棚に固定される。
【００６３】
図１３に示すように、固定用テープ７から粘着剤又は接着剤を蔽っている剥離用フィルムを剥がした後に、図示矢印方向ロに平行板部３ａを棚板４上を滑らせて容器本体２の収納部２ｆに挿入する。平行板部３ａはガイド部２ｄと収納部２ｆの天面と棚板上面４ａを摺動して進む。見出し付ストッパ３が棚板４の端面４ｂに当ると固定用テープ７により、引き出し式可動台板３は棚板４に図１に示した状態において固定される。
【００６４】
上記によって、可動ネーム板付本棚台１を本棚に固定した後は、この可動ネーム板付本棚台１の側板２ｂに接して隣接して可動ネーム板付本棚台１を設ける。
【００６５】
他の使用例としては、夫々未剥離の固定用テープ７，８のままの引き出し式可動台板３と容器本体２を係合した状態で、棚板４上に載置し、位置決めした後は、引き出し式可動台板３の固定テープ７の剥離フィルムを剥がして、平行板部３ａを棚板４の上面４ａに接した状態で棚板４の端面４ｂに見出し付ストッパ３ｂを突き当て、棚板４に引き出し式可動台板３を固定する。
【００６６】
次に固定用テープ８の剥離フィルムを剥がして棚板４上の平行板部３ａに容器本体２のガイド部２ｄを嵌め合せる。このとき容器本体２は上から下へガイド部２ｄを下して平行板部３ａに合せて、棚板４上に押し付けると容器本体２と棚板４は固定される。
【００６７】
このとき、容器本体２の前後方向の位置は自在に選ぶことができる。
【００６８】
更に他の使用例としては書棚の棚板４上面に容器本体２を互に側板３を接して並列して固定しないで置く。そして各引き出し式可動台板３は固定用テープ７により棚板４に固定しておく。こうすると１つの容器本体２のみを本棚から取り出すことができると共に、取り出した容器本体２に隣接する容器本体２は引き出し式可動台板３により側方への移動が止められているので、取り出した容器本体２を本棚に入れる際に隣接する容器本体２を横方向へ押さなければならないということがなく容易に元の位置へ挿入できる。又、このとき、各引き出し式可動台板３に再び本棚に挿入する容器本体２を係合する。
【００６９】
上述しましたように、この実施例によれば見出しとなるネーム板が一定位置となり、且つ書籍の出し入れも容易である。引き出し式可動台板は上面が平であり書籍の出し入れに妨げとならない。容器本体にネーム板を設けると共に引き出し式可動台板に容器本体のネーム板と同義の見出しをしたネーム板を設けたので容器本体と引き出し式可動台板の組が明確となり混同しない。底板と背板に引き出し式可動台板を収納する同一の収納部を設けたことにより、背板を底板として用いる場合も、各効果は同様となる。容器本体に本棚の棚板及び背板に固定できる固定用テープを設けたので、容器本体の前後位置を調節可能に棚板に固定できる。
【００７０】
容器本体の位置を変えたり容器本体を交換する場合に引き出し式可動台板を棚板の一定位置に保持してあるので容器本体の棚板上からの着脱時の右方向の位置決めが容易である。引き出し式可動台板の二つのネーム板は正面、斜め上方から見て何れかが見えるから見易い。
【００７１】
引き出し式可動台板を棚板に固定し、引き出し式可動台板３に容器本体に係脱可能としてあるから、本棚の仕切板間が広くとも、容器本体は倒れることもなく、仕切板のない本棚にも採用できる。
【図面の簡単な説明】
【００７２】
図面は何れも実施例を示し
【図１】本棚台の斜視図である。
【図２】本棚台の一部断面で示す側面図である。
【図３】本棚台の正面図である。
【図４】本棚台の背面図である。
【図５】引き出し式可動台板の使用状態を示す側面図である。
【図６】容器本体の側面図である。
【図７】図６の正面図である。
【図８】容器本体を上下逆にした状態で斜め上から見る本棚台の分解斜視図である。
【図９】作用例を示す側面図である。
【図１０】作用例を示す側面図である。
【図１１】作用例を示す側面図である。
【図１２】作用例を示す側面図である。
【図１３】作用例を示す側面図である。
【符号の説明】
【００７３】
１…本棚台  １ａ…底板
２…容器本体  ２ａ…底板  ２ａ１…凹部  ２ａ２…色付額縁線  ２ａ３…前端面  ２ｂ…側板  ２ｂ１…斜面  ２ｂ２，２ｂ３…端面  ２ｃ…背板  ２ｃ１…凹部    ２ｃ２…色付額縁線  ２ｄ，２ｅ…ガイド部  ２ｆ…収納部  ２ｆ１…奥壁  ２ｇ…突上  ２ｇ１…端面
３…引き出し式可動台板  ３ａ…平行板部  ３ａ１…先端面  ３ａ２…色線  ３ａ３…凹部  ３ｂ…見出し付ストッパ  ３ｂ１…四面額縁  ３ｂ２…凹部  
４…棚板  ４ａ…上面  ４ｂ…端面  
５…可動ネーム板
６…可動ネーム板  
７…固定用テープ
８…固定用テープ
９…背板
１１…仕切り板
１２…固定ネーム板  
１３…固定ネーム板
【図１】
0003146585.tif 000003
【図２】
0003146585.tif 000004
【図３】
0003146585.tif 000005
【図４】
0003146585.tif 000006
【図５】
0003146585.tif 000007
【図６】
0003146585.tif 000008
【図７】
0003146585.tif 000009
【図８】
0003146585.tif 000010
【図９】
0003146585.tif 000011
【図１０】
0003146585.tif 000012
【図１１】
0003146585.tif 000013
【図１２】
0003146585.tif 000014
【図１３】
0003146585.tif 000015